(57)【要約】【課題】装置内の空間を有効に利用したシート収納装置を提供する。【解決手段】シート収納装置１１内の上部にロールシートＰ，Ｑを収納するロールシート収納部１２をそなえる。ロールシート収納部１２は、ロールシートＰ，Ｑを巻き出すフィード部、巻き出したシートを搬送する搬送部、ロールシートＰ，Ｑを巻き出し自在に載置する引き出し１５と、その引き出し１５の両側下に一対のスライド機構１７などをそなえる。この一対のスライド機構１７の間には、収納空間２０を設け、この収納空間２０には、カットシートを積載するシートトレイ２２を有するカットシート収納部２１をそなえる。【選択図】　　　　図２
2004075282.tif 000002
【特許請求の範囲】
【請求項１】
引き出しを出し入れ自在に収納し、その引き出し上に、画像を形成しうるロールシートを巻き出し自在に載置するシート収納装置において、前記引き出しの両側下に一対のスライド機構を設け、そのスライド機構の間に収納空間を設けることを特徴とする、シート収納装置。
【請求項２】
前記収納空間に、カットシートを積載して収納したシートトレイを出し入れ自在にそなえることを特徴とする、請求項１に記載のシート収納装置。
【請求項３】
前記収納空間に、カットシートを積載して収納したシートカセットを着脱自在にそなえることを特徴とする、請求項１に記載のシート収納装置。
【請求項４】
請求項１ないし３のいずれか１に記載のシート収納装置をそなえることを特徴とする、画像形成装置。
【発明の詳細な説明】
【０００１】
【発明の属する技術分野】
この発明は、画像を形成しうるロールシートを巻き出し自在に収納するシート収納装置および、そのシート収納装置をそなえる複写機、プリンタ、プロッタ、ファクシミリなどの画像形成装置に関する。
【０００２】
【従来の技術】
例えば、図５に示すように、従来のシート収納装置をそなえた画像形成装置は、不図示の作像装置、スタッカなどをそなえ、シート収納装置１よりシートを繰り出し、作像装置にてシートに画像を形成して、スタッカに排出する。
【０００３】
シート収納装置１にはロールシート収納部２をそなえ、そのロールシート収納部２には、一対の側板４を載置板５に取り付けた引き出し６を設ける。そして、その引き出し６の外側に設けられた一対のスライド機構７によって、引き出し６を出し入れ自在とし、引き出し６上には、ロールシートＲを巻き出し自在に載置する。引き出し６の下方には、カットシート収納部３を設け、そのカットシート収納部３には、シートトレイ８、不図示のスライド機構などをそなえる。
【０００４】
しかし、このような構成の画像形成装置では、スライド機構７が引き出し６の外側に設けられているので、シート収納装置１の幅Ｗ１が広くなってしまい、これに応じて画像形成装置の幅も広くなり、画像形成装置の設置スペースを広く確保しなければならなかった。
【０００５】
そこで、図６に示すように、一対のスライド機構７を引き出し６の両側下に設けたシート収納装置１をそなえた画像形成装置が提案されている。このシート収納装置１の幅はＷ２となり、図５に示すシート収納装置１の幅Ｗ１に比べて狭くすることができるので、これに応じて画像形成装置の幅が狭くなり、画像形成装置の設置スペースを少なくすることができる。
【０００６】
【発明が解決しようとする課題】
しかしながら、このようなシート収納装置１では、ロールシート収納部２の引き出し６の両側下に一対のスライド機構７を設け、そのスライド機構７の下にカットシート収納部３を設けるので、シート収納装置１の高さＨ２が図５のシート収納装置１の高さＨ１に比べて高くなってしまうという問題がある。
【０００７】
そこで、この発明の第１の目的は、幅と高さを小さくしてシート収納装置の小型化を図ることにある。
【０００８】
また、この発明の第２の目的は、異なるサイズのシートを複数そなえてシートを交換する手間を省き、効率的なシートの供給を可能とするシート収納装置を提供することにある。
【０００９】
さらに、この発明の第３の目的は、上記各目的を達成したシート収納装置をそなえる画像形成装置を提供することにある。
【００１０】
【課題を解決するための手段】
そのため、請求項１に記載の発明は、上記第１の目的を達成すべく、引き出しを出し入れ自在に収納し、その引き出し上に、画像を形成しうるロールシートを巻き出し自在に載置するシート収納装置において、前記引き出しの両側下に一対のスライド機構を設け、そのスライド機構の間に収納空間を設けることを特徴とする。
【００１１】
請求項２に記載の発明は、上記第２の目的を達成すべく、請求項１に記載のシート収納装置において、前記収納空間に、カットシートを積載して収納したシートトレイを出し入れ自在にそなえることを特徴とする。
【００１２】
請求項３に記載の発明は、上記第２の目的を達成すべく、請求項１に記載のシート収納装置において、前記収納空間に、カットシートを積載して収納したシートカセットを着脱自在にそなえることを特徴とする。
【００１３】
請求項４に記載の発明は、上記第３の目的を達成すべく、画像形成装置において、請求項１ないし３のいずれか１に記載のシート収納装置をそなえることを特徴とする。
【００１４】
【発明の実施の形態】
以下、図面を参照しつつ、この発明のシート収納装置をそなえた画像形成装置の一例として、レーザ複写機につき説明する。図１には、その側面から見た概略構成図を、図２には、その正面から見た概略構成図を、図３には、その要部一部破断斜視図を示す。
【００１５】
レーザ複写機は、装置本体１０の下部に平板状のステー１０ａをそなえ、そのステー１０ａの上には、シート収納装置１１を設ける。また、装置本体１０の底部には、キャスタ１０ｂを取り付ける。
【００１６】
シート収納装置１１内の上部には、ロールシートＰ，Ｑを収納するロールシート収納部１２をそなえる。ロールシート収納部１２には、載置板１３に一対の側板１４を取り付けてなる引き出し１５をそなえる。引き出し１５の載置板１３上には、一対のロールシート受部１６を介してロールシートＰ，Ｑを巻き出し自在に載置する。また、引き出し１５の両側下には、一対のスライド機構１７をそなえる。
【００１７】
ここで、スライド機構１７は、シート補給時やシート交換時に、装置本体１０から引き出し１５をスライドして引き出す機構であり、例えば、装置本体１０と載置板１３にそれぞれ不図示の鋼製のレールを取り付け、それらのレールが長さ方向にスライドするようにベアリングを介してはめ合せたものである。なお、２つのレールを別のレールを介してはめ合せるようにしてもよい。
【００１８】
ロールシートＰ，Ｑに隣接してそれぞれ一対のフィードローラをそなえたフィード部１８を設ける。そのフィード部１８に連続して、複数の搬送ローラをそなえた搬送部１９を設ける。これらの搬送ローラは、一対の側板１４に不図示の回転軸を介して取り付けられている。そして、搬送部１９内には、横裁断手段２７を設ける。
【００１９】
一方、一対のスライド機構１７の間に形成される収納空間２０には、カットシート収納部２１を設ける。このカットシート収納部２１は、不図示のスライド機構をそなえたシートトレイ２２を有する。このシートトレイ２２は、ステー１０ａ上に載置し、小サイズのカットシートを積載して収納する。
【００２０】
そして、シート収納装置１１の上方には、作像装置２３を設ける。作像装置２３は、まわりに不図示の帯電装置、書き込み装置、現像装置、転写・搬送装置、クリーニング装置などを配置した感光体２４、加熱用ローラと加圧用ローラとからなる一対の定着ローラ２５、光源、ミラー、結像レンズ、ＣＣＤ等のイメージセンサなどをそなえる不図示の読取装置などをそなえる。さらに、装置本体１０の上面には、不図示のコンタクトガラスを設置し、そのコンタクトガラスを被うように、装置本体１０の上には、自動原稿供給装置２６を取り付ける。
【００２１】
さて、いま、このレーザ複写機を用いて原稿をコピーするときは、自動原稿供給装置２６に原稿をセットする。そして、不図示のスタートスイッチを押し、自動原稿供給装置２６を駆動してコンタクトガラス上に搬送されてきた原稿を読取装置で読み取る。
【００２２】
同時に、読み取った原稿のサイズに対応したロールシートＰからシートを繰り出すべく、フィード部１８と搬送部１９が駆動し、シートを感光体２４の下に送り込みながら、横裁断手段２７にて適宜シート搬送方向と直交する方向にシートを裁断する。
【００２３】
他方、不図示のスタートスイッチを押したとき、同時に感光体２４を図中時計回りに回転する。そして、その感光体２４の回転とともに、帯電装置で感光体２４の表面を一様に帯電し、次いで読取装置で読み取った読取内容に応じてレーザ光を照射して書き込み装置で書き込みを行い、感光体２４の表面に静電潜像を形成し、その後、現像装置でトナーを付着してその静電潜像を可視像化する。
【００２４】
それから、上述したごとく感光体２４の下に送り込んだシートに転写・搬送装置でその可視像を転写する。画像転写後の感光体２４の表面は、残留トナーをクリーニング装置で除去・清掃され、除電装置で除電されて、その後の再度の画像形成に備える。
【００２５】
画像転写後のシートは、転写・搬送装置で搬送して、定着ローラ２５に入れ、一対の定着ローラで熱と圧力とを加えて転写画像を定着する。その後、一旦装置本体１０の外に排出され、再び、装置本体１０下部に設けられたストッカ２８に載置される。
【００２６】
一方、小サイズの原稿をコピーするときは、自動原稿供給装置２６に原稿をセットし、または、自動原稿供給装置２６を開いて不図示のコンタクトガラス上に直接原稿をセットする。そして、不図示のスタートスイッチを押し、自動原稿供給装置２６を駆動してコンタクトガラス上に搬送した原稿を、または予めコンタクトガラス上にセットしてある原稿を、読取装置で読み取る。
【００２７】
同時に、不図示のフィード部と搬送部１９が駆動し、シートトレイ２２にあるカットシートを繰り出し、作像装置２３に送り込む。なお、作像装置２３での画像転写の動作は、前述の例と同様であるので説明を省略する。
【００２８】
画像転写後のカットシートは、転写・搬送装置で搬送して、定着ローラ２５に入れ、一対の定着ローラで熱と圧力とを加えて転写画像を定着する。その後、装置本体１０の外に設けられた不図示の排出トレイに排出される。
【００２９】
ところで、ロールシートＰ，Ｑは、詳しくは、図４のように、その両端に、ロールシートホルダ２９をはめ付けて、裏面に不図示のマグネットをそなえて載置板１３上に吸着したロールシート受部１６に載置する。さらに詳しくは、ロールシートホルダ２９の鍔部２９ａをロールシート受部１６に設けられたローラ１６ａに回転自在に載置する。
【００３０】
そして、ロールシートＰ，Ｑを交換するには、図２に示す、ロールシート収納部１２に設けられた不図示の取手を引張ると、スライド機構１７が長さ方向に伸びて、ロールシートＰ，Ｑを載置した引き出し１５が引き出される。
【００３１】
次に、ロールシートＰ，Ｑをロールシート受部１６から外す。そして、別のロールシートにロールシートホルダ２９をはめ付けるとともに、そのロールシートの幅に合わせて、ロールシート受部１６の設置位置を変更した後、ロールシート受部１６のローラ１６ａに、ロールシートホルダ２９の鍔部２９ａを載置する。
【００３２】
一方、カットシートを補給するには、カットシート収納部２１に設けられた不図示の取手を引張ると、スライド機構が長さ方向に伸びて、シートトレイ２２が引き出される。そして、シートトレイ２２にカットシートを積載して補給し、シートトレイ２２を元の位置に押し戻す。
【００３３】
なお、この例では、シート収納装置１１に設けられた収納空間２０に、カットシートを積載して収納したシートトレイ２２を出し入れ自在にそなえたが、この発明はこれに限定されるものではなく、収納空間２０にカットシートを積載して収納したシートカセットを引き出し自在にそなえてもよい。
【００３４】
さらに、シート収納装置１１に設けられた収納空間２０に、カットシート収納部２１に代えて、レーザ複写機の制御部などを収納してもよい。
【００３５】
また、上述の例では、画像形成装置の一例として、レーザ複写機について説明したが、プリンタ、プロッタ、ファクシミリなどに適用してもよい。
【００３６】
さらに、上述の例では、シート収納装置１１を画像形成装置内にそなえたが、この発明はこれに限定されるものではなく、画像形成装置の外部にシート収納装置１１をそなえ、両者を接続するようにしてもよい。
【００３７】
また、上述の例では、シート収納装置１１にロールシートＰ，Ｑとカットシートをそなえたが、例えば、ロールシートＲ１の幅を８４１ｍｍとし、ロールシートＲ２の幅を４２０ｍｍとし、カットシートとしてＡ４シートをそなえると、Ａ０、Ａ１サイズのシートは、ロールシートＲ１より切り出すことができ、Ａ２、Ａ３サイズのシートは、ロールシートＲ２より切り出すことができ、３種類のシートで、Ａ０〜Ａ４までの５つのサイズに対応することができ、効率的なシートの供給を可能とする。
【００３８】
なお、上述の例において、シートとは、普通紙、ＯＨＰシート等のフィルムなど、画像形成することができるものをいう。
【００３９】
【発明の効果】
以上説明したとおり、請求項１に記載の発明によれば、シート収納装置が、スライド機構の間に収納空間を設けるので、装置内の他の部材などを収納することができ、幅と高さを小さくしてシート収納装置の小型化を図ることができる。
【００４０】
請求項２に記載の発明によれば、収納空間に、カットシートを積載して収納したシートトレイを出し入れ自在にそなえるので、ロールシートとサイズの異なるカットシートを収納し、形成される画像の大きさに応じたサイズのシートを使用することができ、異なるサイズのシートを複数そなえてシートを交換する手間を省き、効率的なシートの供給を可能とするシート収納装置を提供することができる。
【００４１】
請求項３に記載の発明によれば、収納空間に、カットシートを積載して収納したシートカセットを着脱自在にそなえるので、ロールシートとサイズの異なるカットシートを収納し、形成される画像の大きさに応じたサイズのシートを使用することができ、異なるサイズのシートを複数そなえてシートを交換する手間を省き、効率的なシートの供給を可能とするシート収納装置を提供することができる。
【００４２】
請求項４に記載の発明によれば、請求項１ないし３のいずれか１に記載のシート収納装置をそなえるので、上記請求項１ないし３の効果を達成することができるシート収納装置をそなえた画像形成装置を提供することができる。
【図面の簡単な説明】
【図１】この発明によるシート供給装置をそなえた画像形成装置の一例としての複写機の側面から見た概略構成図である。
【図２】その正面から見た概略構成図である。
【図３】その要部斜視図である。
【図４】ロールシートをシート供給装置に取り付ける様子を示した図である。
【図５】従来の画像形成装置の正面から見た概略構成図である。
【図６】従来の別の画像形成装置の正面から見た概略構成図である。
【符号の説明】
１１　　シート収納装置
１２　　ロールシート収納部
１３　　載置板
１４　　側板
１５　　引き出し
１７　　スライド機構
２０　　収納空間
２１　　カットシート収納部
２２　　シートトレイ
Ｐ，Ｑ　　ロールシート
【図１】
2004075282.tif 000003
【図２】
2004075282.tif 000004
【図３】
2004075282.tif 000005
【図４】
2004075282.tif 000006
【図５】
2004075282.tif 000007
【図６】
2004075282.tif 000008